(57)【要約】【課題】発射機構から発射された球の遊技盤への着地点が容易に調整可能になる。【解決手段】発射機構２２が発射取付部１０に取り付けられる場合、回転中心部３０が回転中心部１４に前方から嵌め込まれ、機構基盤２３が上記互いに嵌め込まれた回転中心部１４；３０を中心として左または右に回転されることによって、発射機構２２から発射された球の遊技盤３３への着地点が調整され、ねじ釘３２が発射機構２２の前方から長孔３１を経由してねじ取付部１５に締結され、発射機構２２が発射取付部１０に固定される。【選択図】図１
2009077840.tif 000002
【特許請求の範囲】
【請求項１】
球を発射する発射機構が遊技盤の取り付けられる可動枠の発射取付部に設けられる遊技機の球発射装置であって、発射取付部には回転中心部と当該回転中心部を中心とする円周上に配置されるねじ取付部とが設けられ、発射機構の機構基盤には回転中心部と当該回転中心部を中心とする円周上に配置される長孔とが設けられ、発射機構の回転中心部が発射取付部の回転中心部に嵌め込まれ、発射機構の機構基盤が上記互いに嵌め込まれた回転中心部を中心として左または右に回転されて、発射機構から発射された球の遊技盤への着地点が調整され、ねじ釘が発射機構の長孔を経由して可動枠のねじ取付部に締結されて、発射機構が発射取付部に固定されたことを特徴とする遊技機の球発射装置。
【発明の詳細な説明】
【技術分野】
【０００１】
本発明は、遊技機における発射機構から発射された球の遊技盤への着地点が容易に調整可能な球発射装置に関する。
【背景技術】
【０００２】
図３は、特許文献１で開示された遊技機の球発射装置を示す。図３において、遊技盤３３の取り付けられる可動枠３の発射取付部１０には、球を矢印Ｘ３で示すように発射する発射機構２２が設けられている。しかしながら、発射機構２２が可動枠３に固定的に取り付けられた構造であって、発射機構２２から発射された球の遊技盤３３への着地点が調整できないので、発射機構２２の可動枠３への取付位置が許容範囲内の誤差によって、発射機構２２から発射された球が遊技盤３３の発射通路３６の左側壁を構成するガイドレール３５に着地する着地点が異なる。
【特許文献１】特開２００６−１４９８０９号公報
【発明の開示】
【発明が解決しようとする課題】
【０００３】
発明が解決しようとする問題点は、発射機構から発射された球の遊技盤への着地点が容易に調整できないという点である。
【課題を解決するための手段】
【０００４】
本発明に係る遊技機の球発射装置は、球を発射する発射機構が遊技盤の取り付けられる可動枠の発射取付部に設けられる遊技機の球発射装置であって、発射取付部には回転中心部と当該回転中心部を中心とする円周上に配置されるねじ取付部とが設けられ、発射機構の機構基盤には回転中心部と当該回転中心部を中心とする円周上に配置される長孔とが設けられ、発射機構の回転中心部が発射取付部の回転中心部に嵌め込まれ、発射機構の機構基盤が上記互いに嵌め込まれた回転中心部を中心として左または右に回転されて、発射機構から発射された球の遊技盤への着地点が調整され、ねじ釘が発射機構の長孔を経由して可動枠のねじ取付部に締結されて、発射機構が発射取付部に固定されたことを最も主要な特徴とする。
【発明の効果】
【０００５】
本発明に係る遊技機の球発射装置は、発射機構の機構基盤が上記互いに嵌め込まれた回転中心部を中心として左または右に回転されて、発射機構から発射された球の遊技盤への着地点が調整され、ねじ釘が発射機構の長孔を経由して可動枠のねじ取付部に締結されて、発射機構が発射取付部に固定されたので、発射機構から発射された球の遊技盤への着地点が容易に調整できるという利点がある。
【発明を実施するための最良の形態】
【０００６】
図１は、遊技機の球発射装置を分解して示す。図２は、遊技盤３３および発射機構２２を備えた可動枠３の正面を示す。本明細書における「前」、「後」、「左」、「右」、「上」、「下」の方向は、図１の状態に遊技機枠１および遊技盤３３を置いて矢印Ｓで示す前側から見た場合に特定される方向である。
【０００７】
図１を参照し、パチンコ遊技機を例として遊技機の球発射装置について説明する。遊技機の球発射装置は、可動枠３の発射取付部１０に回転中心部１４とねじ取付部１５とを設け、発射機構２２の機構基盤２３に回転中心部３０と長孔３１とを設け、機構基盤２３が互いに嵌め込まれた回転中心部１４；３０を中心として左または右に回転されて、発射機構２２から発射された球の遊技盤３３への着地点が調整され、ねじ釘３２が発射機構２２の前方から長孔３１を経由してねじ取付部１５に締結されて、発射機構２２が発射取付部１０に固定される特徴を有する。
【０００８】
パチンコ遊技機の遊技機枠１は、固定枠２の前部に可動枠３を開閉可能に備える。固定枠２は、遊技機設置設備に固定される。遊技機設置設備は、パチンコ遊技機を設置する遊技店の島と呼ばれる設備である。可動枠３は、遊技盤３３や図外の制御装置など遊技に必要な部品を取り付ける前枠とも呼ばれ、左側に位置するヒンジ４を中心とし、固定枠２の前で前方に開かれかつ後方に閉じられるように、片開き可能である。
【０００９】
可動枠３には、盤収容室５、中央開口部６、盤受止部７、盤押出部８、盤ロック機構９、発射取付部１０、上扉１１、下扉１２などが設けられる。盤収容室５は、前方に開口し、前後方向に奥行の有る箱形に構成される。中央開口部６は、盤収容室５の背壁に前後方向への貫通孔として形成される。盤受止部７は、盤押出部８で前方に押された遊技盤３３の前面を受け止める突起として、盤収容室５の左側部に設けられる。盤押出部８は、遊技盤３３を前方に押す板ばねなどの弾性体として、盤収容室５の左側部に設けられる。盤ロック機構９は、盤収容室５の右側部の背壁から前方に突出する台座の中心にロック操作部１３を回転可能に備える。ロック操作部１３は、台座から前方に突出した操作軸の前部に固定された横長または縦長な形態である。
【００１０】
発射取付部１０は、盤収容室５よりも下部において、可動枠３の左側部に設けられる。発射取付部１０には、回転中心部１４とねじ取付部１５とが設けられる。回転中心部１４は、発射取付部１０から前方に突出する丸棒または円筒として構成される。ねじ取付部１５は、回転中心部１４を中心とする円周上に配置される。回転中心部１４よりも上部における複数のねじ取付部１５の配置される１つの円周の直径と、回転中心部１４よりも下部における複数のねじ取付部１５の配置されるもう１つの円周の直径とが、異なる寸法でも、同じ寸法でもよい。
【００１１】
上扉１１は、可動枠３の前部に開閉可能に設けられ、左側に位置するヒンジ１６を中心とし、可動枠３の前で前方に開かれかつ後方に閉じられるように、片開き可能である。上扉１１には、窓１７、窓パネル１８などが設けられる。下扉１２は、可動枠３の前部に開閉可能に設けられ、左側に位置するヒンジ１９を中心とし、可動枠３の前で前方に開かれかつ後方に閉じられるように、片開き可能である。下扉１２の前部には、受皿２０、発射操作機構２１などが設けられる。上扉１１および下扉１２は、前扉として一体に構成されてもよい。
【００１２】
発射機構２２は、機構基盤２３とカバー２４とで囲まれた収容部に電磁ソレノイド２５を収容する。電磁ソレノイド２５における駆動体としてのプランジャ２６の収容部から上方に突出した端部には杵先２７が設けられる。機構基盤２３の杵先２７より上部に突出した部分には、球座２８、発射レール２９、回転中心部３０、長孔３１が設けられる。球座２８は、杵先２７よりも右側に配置される。発射レール２９は、杵先２７よりも左側に配置される。
【００１３】
そして、受皿２０における図外の球供給口から供給された１個の球が球座２８の傾斜上面と発射レール２９とで支持された状態において、電磁ソレノイド２５への電力供給によって、プランジャ２６が上昇するように直線的に駆動し、杵先２７が球座２８と発射レール２９とで支持された球を真上に向けて発射する。その後、上記電磁ソレノイド２５への電力供給が停止すると、プランジャ２６が図外のばねのばね力または自重によって直線的に下降して停止する。
【００１４】
回転中心部３０は、回転中心部１４に嵌め込まれるものであって、機構基盤２３の前面から後方への窪みまたは前後方向への貫通孔として構成される。長孔３１は、回転中心部３０を中心とする円周上に配置され、円周の方向に細長い形状として構成される。回転中心部３０よりも上部における複数の長孔３１の配置される１つの円周の直径と、回転中心部３０よりも下部における複数の長孔３１の配置されるもう１つの円周の直径とは、異なる寸法でも、同じ寸法でもよいが、ねじ取付部１５の配置される円周の直径と同じ寸法である。
【００１５】
発射機構２２は、発射取付部１０に次のように取り付けられる。回転中心部３０が回転中心部１４に前方から嵌め込まれ、機構基盤２３が上記互いに嵌め込まれた回転中心部１４；３０を中心として左または右に回転されて、発射機構２２から発射された球の遊技盤３３への着地点が調整され、ねじ釘３２が発射機構２２の前方から長孔３１を経由してねじ取付部１５に締結されて、発射機構２２が発射取付部１０に固定される。
【００１６】
図２を参照し、発射機構２２から発射された球の遊技盤３３への着地点の調整について説明する。発射機構２２が発射取付部１０に取り付けられ、作業者がねじまわしなどの工具でねじ釘３２を弛緩して発射機構２２を回転中心部１４；３０を中心として例えば左に回転した後にねじ釘３２を締結して、杵先２７が矢印Ｘ１で示すように球を真上に向けて発射するように発射機構２２が発射取付部１０に固定される。この場合における球が遊技盤３３の発射通路３６の左側壁を構成するガイドレール３５に着地する着地点はＰ１となる。また、作業者がねじまわしなどの工具によってねじ釘３２を弛緩して発射機構２２を回転中心部１４；３０を中心として例えば右に回転した後にねじ釘３２を締結して、杵先２７が矢印Ｘ２で示すように球を真上に向けて発射するように発射機構２２が発射取付部１０に固定される。この場合における球が遊技盤３３の発射通路３６の左側壁を構成するガイドレール３５に着地する着地点はＰ２となる。ねじ釘３２が長孔３１における長手方向の一端と他端とに接触する範囲において、着地点はＰ１；Ｐ２の２箇所以外および以上に設定できることは勿論である。発射機構２２から発射された球の遊技盤３３への着地点を調整する場合、可動枠３の前方からねじ釘３２および発射機構２２を操作することができるので、発射機構２２から発射された球の遊技盤３３への着地点を調整する作業が行いやすいという利点がある。
【００１７】
図１に戻り、遊技盤３３の右側部には、ロック受部３４が前後方向への貫通孔として設けられる。遊技盤３３の前面には、ガイドレール３５や発射通路３６が設けられる。遊技盤３３の前面のガイドレール３５で囲まれた部分には、アウト口３７や図外の入賞部品および遊技釘などの遊技部品が設けられる。
【００１８】
遊技盤３３が遊技機枠１に次のように取り付けられる。遊技盤３３の前面が前方に向けられ、遊技盤３３の裏面が可動枠３の前面に対し斜めに向けられ、遊技盤３３の左側部が盤収容室５に前方から挿入されて盤受止部７と盤押出部８との間に嵌め込まれる。その後遊技盤３３の右側部が後方に押されると、ロック操作部１３がロック受部３４を経由して遊技盤３３の前方に突出する。その状態において、ロック操作部１３が例えば左方向に９０度回転操作され、ロック操作部１３が遊技盤３３におけるロック受部３４の周りの前面に係合し、遊技盤３３が可動枠３の盤収容室５に取り付けられる。このように遊技盤３３が盤収容室５に取り付けられた場合、遊技盤３３の左側部が盤押出部８で後方から前方に弾性的に押され、この遊技盤３３の左側部の前面が盤受止部７で受け止められる。
【００１９】
遊技盤３３が可動枠３に取り付けられた後、上扉１１が閉じられて可動枠３に開閉不能に支持されて、パチンコ遊技機が構成される。このパチンコ遊技機では、窓パネル１８と遊技盤３３の前面との間におけるガイドレール３５で囲まれた部分が遊技領域として構成される。この遊技領域は、発射機構２２から発射された球の飛び交う空間であるとともに遊技機枠１の前方から窓１７および窓パネル１８を通して視認し得る空間である。
【産業上の利用可能性】
【００２０】
発射取付部１０が盤収容室５よりも下部において可動枠３の右側部に設けられてもよい。回転中心部１４が発射取付部１０の前面から後方へ窪みまたは前後方向への貫通孔であって、回転中心部３０が機構基盤２３の後面から後方に突出する丸棒または円筒であってもよい。ねじ取付部１５と長孔３１およびねじ釘３２が１個ずつ、２個ずつ、３個ずつ、５個ずつ以上であっても、つまり、１本または複数本のねじ釘３２で機構基盤２３を発射取付部１０に固定してもよい。
【図面の簡単な説明】
【００２１】
【図１】遊技機の球発射装置の分解斜視図（最良の形態）。
【図２】遊技盤および発射機構を備えた可動枠の正面図（最良の形態）。
【図３】遊技機の球発射装置の正面図（従来）。
【符号の説明】
【００２２】
１は遊技機枠、２は固定枠、３は可動枠、４はヒンジ、５は盤収容室、６は中央開口部、７は盤受止部、８は盤押出部、９は盤ロック機構、１０は発射取付部、１１は上扉、１２は下扉、１３はロック操作部、１４は回転中心部、１５はねじ取付部、１６はヒンジ、１７は窓、１８は窓パネル、１９はヒンジ、２０は受皿、２１は発射操作機構、２２は発射機構、２３は機構基盤、２４はカバー、２５は電磁ソレノイド、２６はプランジャ、２７は杵先、２８は球座、２９は発射レール、３０は回転中心部、３１は長孔、３２はねじ釘、３３は遊技盤、３４はロック受部、３５はガイドレール、３６は発射通路、３７はアウト口。
【図１】
2009077840.tif 000003
【図２】
2009077840.tif 000004
【図３】
2009077840.tif 000005